(57)【要約】【課題】ＭＣ（マルチキャスト）配信による情報を確実に受信することが可能な携帯端末装置を提供すること。【解決手段】各種動作を行うアプリケーション群３００と、アプリケーション群３００に含まれる各アプリケーションを制御するアプリケーションマネージャ３０１と、各種情報が格納されるデータベース３０２と、を備えており、所定のエリア又はメンバーに属することを条件に、基地局４００を介してサーバ４０１から所定の情報のＭＣ配信が行われ、所定のイベント機能を起動することにより当該ＭＣ配信された情報を取得（受信）する。【選択図】図４
2008244764.tif 000002
【特許請求の範囲】
【請求項１】
所定のエリアに属することを条件に、基地局を介してサーバから所定の情報の配信がなされ、配信情報取得イベントを発生させることにより当該配信された情報を取得する携帯端末装置において、
前記所定の情報の配信の開始時刻の情報を取得する開始時刻取得手段と、
前記開始時刻取得手段により取得した前記開始時刻に基づいて、前記配信情報取得イベントと競合する他のイベントの発生を制限する制限時間帯を設定する制限時間帯設定手段と、
前記制限時間帯設定手段により設定された前記制限時間帯において、前記他のイベントの発生を中止又は破棄するイベント発生制限手段と、を備えることを特徴とする携帯端末装置。
【請求項２】
請求項１に記載の携帯端末装置において、
前記制限時間帯設定手段は、前記開始時刻の所定時間前から前記配信情報取得イベントにより前記所定の情報の配信が完了するまでの時間を前記制限時間帯として設定することを特徴とする携帯端末装置。
【請求項３】
請求項１に記載の携帯端末装置において、
現在の時刻が前記制限時間帯にかかったとき、現在が当該制限時間帯であることを明示するための所定の通知を行う通知手段を備えることを特徴とする携帯端末装置。
【請求項４】
前記請求項１に記載の携帯端末装置において、
前記イベント発生制限手段は、前記制限時間帯に前記他のイベントの発生が行われる場合、当該他のイベントの発生を中止又は破棄し、前記制限時間帯に達するより前に前記他のイベントが発生していた場合、起動している当該他のイベントを中断又は破棄することを特徴とする携帯端末装置。
【発明の詳細な説明】
【技術分野】
【０００１】
本発明は、基地局を介して他の機器と通信を行う携帯端末装置に関し、より詳細には、基地局を介してサーバから配信される情報を受信する携帯端末装置に関する。
【背景技術】
【０００２】
近年、携帯端末装置では、基地局を介してサーバから情報が配信されるシステムが採用されている。
【０００３】
この配信システムには、１（サーバ）対１（携帯端末装置）の配信を行うユニキャスト（ｕｎｉｃａｓｔ）配信や、１（サーバ）対多数（複数の携帯端末装置）により配信を行うマルチキャスト（ｍｕｌｔｉｃａｓｔ）配信（以下、ＭＣ配信という。）及びブロードキャスト（Ｂｒｏａｄｃａｓｔ）配信等がある。
【０００４】
ここで、マルチキャスト配信は、所定のグループ又は所定のエリアに属する携帯端末装置に対して、所定の時間ごとに所定の情報を一斉配信するものであり、また、ブロードキャスト配信は、不特定多数の携帯端末装置に対して、所定の時間ごとに所定の情報を一斉配信するものである。
【０００５】
また、このような技術を使って行なうサービスのことをＢＣＭＣＳ（Ｂｒｏａｄｃａｓｔ／Ｍｕｌｔｉｃａｓｔ  Ｓｅｒｖｉｃｅｓ）と呼ぶ（例えば、特許文献１を参照。）。
【０００６】
また、ＭＣ配信のメリットは、大きなデータを複数の携帯端末装置に配信する際に、帯域の専有率が低いことにある。例えば、ユニキャスト配信により、複数の携帯端末装置に情報を配信するためには、「データ帯域×複数の携帯端末装置」の帯域が必要になる。しかし、ＭＣ配信であれば、「データ帯域×１」の帯域で良い。
【特許文献１】特開２００２−２６９８７号公報
【発明の開示】
【発明が解決しようとする課題】
【０００７】
ところで、ＭＣ配信は、複数の携帯端末装置に対し、決められた時刻に同時配信される。ＭＣ配信の時刻前に、ＭＣ配信と競合するようなイベントが発生した場合、又は、ＭＣ配信の時刻において、既にＭＣ配信と競合するようなイベントが発生している場合、ＭＣ配信される情報を受信できない場合が発生する。
【０００８】
本発明は、上述のような課題に鑑みてなされたものであり、その目的の一つは、ＭＣ配信を確実に受信することが可能な携帯端末装置を提供することである。
【課題を解決するための手段】
【０００９】
本発明に係る携帯端末装置は、上記課題を解決するために、所定のエリアに属することを条件に、基地局を介してサーバから所定の情報の配信がなされ、配信情報取得イベントを発生させることにより当該配信情報を取得する携帯端末装置において、前記所定の情報の配信の開始時刻の情報を取得する開始時刻取得手段と、前記開始時刻取得手段により取得した前記開始時刻に基づいて、前記配信情報取得イベントと競合する他のイベントの発生を制限する制限時間帯を設定する制限時間帯設定手段と、前記制限時間帯設定手段により設定された前記制限時間帯において、前記他のイベントの発生を中止又は破棄するイベント発生制限手段と、を備える。
【００１０】
また、携帯端末装置では、前記制限時間帯設定手段は、前記開始時刻の所定時間前から前記配信情報取得イベントにより前記所定の情報の配信が完了するまでの時間を前記制限時間帯として設定することが好ましい。
【００１１】
また、携帯端末装置では、現在の時刻が前記制限時間帯にかかったとき、現在が当該制限時間帯であることを明示するための所定の通知を行う通知手段を備えることが好ましい。
【００１２】
また、携帯端末装置では、前記イベント発生制限手段は、前記制限時間帯に前記他のイベントの発生が行われる場合、当該他のイベントの発生を中止又は破棄し、前記制限時間帯に達するより前に前記他のイベントが発生していた場合、起動している当該他のイベントを中断又は破棄することが好ましい。
【発明の効果】
【００１３】
本発明によれば、ＭＣ配信による情報を確実に受信することができる。
【発明を実施するための最良の形態】
【００１４】
以下、図面を参照して本発明を実施するための最良の形態を説明する。なお、以下、携帯端末装置として携帯電話機について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００１５】
図１から図３により、携帯電話機１における基本構造を説明する。図１は、携帯電話機１を開いた状態（第１開状態）における正面図を示す。また、図２（Ａ）は、携帯電話機１を開いた状態における左側面図を示し、図２（Ｂ）は、携帯電話機１を開いた状態における右側面図を示す。また、図３は、携帯電話機１を開いた状態における背面図を示す。
【００１６】
携帯電話機１は、操作部側筐体２と、表示部側筐体３とを備える。操作部側筐体２と表示部側筐体３とは２軸ヒンジ機構を備える連結部４を介して連結され、該携帯電話機１を開状態及び閉状態に変形可能とすると共に、開状態及び閉状態それぞれにおいて表示部側筐体３を表状態と裏状態とに切り替えることができる。
【００１７】
ここで、閉状態とは、両筐体が互いに重なるように配置された状態であり、開状態とは、両筐体が互いに重ならないように配置された状態をいう。そして、開状態における表状態とは、後述する表示部側筐体３における表面３Ａに配置されるディスプレイ３０と、操作部側筐体２におけるフロントケース２ａに配置される操作キー群１１とが同じ側を向くように配置された状態であり、裏状態とは、表示部側筐体３におけるディスプレイ３０と操作部側筐体２における操作キー群１１とが反対側を向くように配置された状態をいう。また、閉状態における表状態とは、表示部側筐体３におけるディスプレイ３０が操作部側筐体２における操作キー群１１に対向するように配置された状態であり、閉状態における裏状態とは、表示部側筐体３におけるディスプレイ３０が操作部側筐体２における操作キー群１１と対向せずに表出した状態である。
【００１８】
操作部側筐体２は、外面がフロントケース２ａとリアケース２ｂにより構成される。この操作部側筐体２は、フロントケース２ａ側に、操作キー群１１と、携帯電話機１の使用者が通話時に発した音声が入力される音声入力部（マイク）１２とがそれぞれ露出するように構成される。ここで、操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う決定操作キー１５と、から構成されている。また、マイク１２は、操作部側筐体２の長手方向における連結部４側とは反対の外端部側に配置される。つまり、マイク１２は、携帯電話機１が開状態において一方の外端部側に配置される。
【００１９】
操作キー群１１を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２０】
操作部側筐体２における一方の側面には、図２（Ａ）に示すように、外部機器（例えば、ホスト装置）とデータの送受信を行うためのインターフェース１６と、ヘッドホン／マイク端子１７と、着脱可能な外部メモリのインターフェース１８と、バッテリを充電するための充電端子１９とが設けられている。なお、インターフェース１６、ヘッドホン端子／マイク端子１７及びインターフェース１８は、不使用時において着脱可能な防塵対策用のキャップで覆われている。
【００２１】
操作部側筐体２における他方の側面には、図２（Ｂ）に示すように、一対のサイドキー２０と、撮像時に使用される操作キー２１と、電波の受信角度を調整可能な放送波受信用のアンテナ２２とが配置される。このサイドキー２０には、操作部側筐体２と表示部側筐体３との開閉状態や表裏状態等の変形状態や、起動されているアプリケーションの種類に応じて所定の機能が割り当てられる（キー・アサイン）。ここで、上述と同様に、サイドキー２０が使用者により押圧されることで、携帯電話機１においてサイドキー２０に割り当てられている機能に応じた動作が実行される。
【００２２】
操作部側筐体２のリアケース２ｂには、図３に示すように、被写体を撮像するカメラ部２３と、被写体に光を照射するライト部２４とが露出して配置される。このカメラ部２３とライト部２４とは、操作部側筐体２における連結部４側に配置される。また、操作部側筐体２におけるリアケース２ｂには、詳細は後述するバッテリの収容部にバッテリを装着するための開口部が形成されると共に、該開口部を塞ぐようにバッテリーリッド２５が配置される。
【００２３】
また、操作部側筐体２の上端部と表示部側筐体３の下端部とは、図１から図３に示すように、２軸ヒンジ機構を備える連結部４を介して連結される。連結部４における一方の面（裏面）には、図３に示すように、副操作キー群３３が該携帯電話機１の幅方向（短手方向）において一列に並んで配置される。この副操作キー群３３を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２４】
また、表示部側筐体３は、外面がフロントケース３ａとリアケース３ｂにより構成される。表示部側筐体３におけるフロントケース３ａには、図１に示すように、各種情報を表示するための所定形状のディスプレイ３０と、通話の相手側における音声を出力する音声出力部３１とが露出するように配置される。ここで、音声出力部３１は、表示部側筐体３の長手方向における連結部４とは反対の外端部側に配置される。つまり、音声出力部３１は、携帯電話機１が開状態において他方の端部側に配置される。
【００２５】
また、表示部側筐体３のリアケース３ｂには、図３に示すように、各種情報を表示するためのサブディスプレイ３２が露出して配置される。ディスプレイ３０及びサブディスプレイ３２それぞれは、液晶パネルと、この液晶パネルを駆動する駆動回路と、この液晶パネルの背面側から光を照射するバックライト等の光源部とから構成される。
【００２６】
なお、本実施形態においては、連結部４により折り畳み可能な携帯電話機１の説明をしているが、折り畳み式ではなく、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転式（ターンタイプ）や、操作部側筐体２と表示部側筐体３とが一つの筐体に配置され連結部を有さない型式（ストレートタイプ）でも良い。
【００２７】
また、携帯電話機１は、図４に示すように、詳細は後述するが、各種動作を行うアプリケーション群３００と、アプリケーション群３００に含まれる各アプリケーションを制御するアプリケーションマネージャ３０１と、各種情報が格納されるデータベース３０２と、を備えており、所定のエリア又はメンバーに属することを条件に、基地局４００を介してサーバ４０１から所定の情報の配信（以下、ＭＣ（ｍｕｌｔｉｃａｓｔ）配信という。）が行われ、所定のイベントを発生させることにより当該ＭＣ配信された情報を取得（受信）する。
【００２８】
なお、サーバ４０１は、図示しないが、基地局４００を介して複数の携帯端末装置に対して、所定の時間ごとに所定の情報を一斉配信する。以下に、サーバ４０１により一斉配信された情報を携帯電話機１により取得（受信）する際の動作について説明する。
【００２９】
＜事前準備＞
携帯電話機１は、アプリケーション群３００に含まれるアプリケーションＡ（開始時刻取得手段）と、データベース３０２とにより、事前準備を行う（図５）。なお、図５中のＳ記号は、図６のフローチャートのステップ番号に対応している。
【００３０】
ステップＳ１において、アプリケーションＡは、図６に示すように、基地局４００を介してサーバ４０１からＭＣ配信情報（配信時刻の情報や、配信される情報量等）を取得する。
【００３１】
ステップＳ２において、アプリケーションＡは、取得したＭＣ配信情報からＭＣ配信に対する機能制限時間帯（以下、ＭＣ配信機能制限時間帯という。）を計算する。ここで、ＭＣ配信機能制限時間帯とは、ＭＣ配信される情報を取得するためのイベント（以下、配信情報取得イベントという。）が発生されているときに、配信情報取得イベントと競合する他のイベント（以下、競合イベントという。）の発生を制限（中止又は破棄）するための時間帯のことである。例えば、ＭＣ配信される時刻が「３：００〜４：００」の場合であって、かつ、その「１０分前」から競合イベントの発生を制限する場合には、ＭＣ配信機能制限時間帯は、「２：５０〜４：００」となる。なお、競合イベントの発生を制限する時間は、１０分前に限られず何分（秒）前であっても良く、また、ユーザが任意の時間を設定することができる。
【００３２】
ステップＳ３において、アプリケーションＡは、データベース３０２にＭＣ配信機能制限時間帯を保存する。データベース３０２にＭＣ配信機能制限時間帯が保存されることによりタイマ（タイマ管理アプリケーションＤ）の設定が完了する。
【００３３】
つぎに、アプリケーションＡにより、ＭＣ配信機能制限を実行するための設定動作につい、機能ブロック図（図７）と、フローチャート（図８）を参照して説明する。なお、図７中のＳ記号は、図８のフローチャートのステップ番号に対応している。
【００３４】
ステップＳ１１において、アプリケーションＡは、図８に示すように、ユーザの操作に応じて、ＭＣ配信機能制限の設定を行う。ユーザは、図示しない操作部により、ＭＣ配信機能制限を行う（ＯＮ）又は行わない（ＯＦＦ）を設定するための操作を行う。アプリケーションＡは、操作部から供給される信号に応じてＭＣ配信機能制限の設定を行う。
【００３５】
ステップＳ１２において、アプリケーションＡは、データベース３０２にＭＣ配信機能制限の設定状態を保存する。
【００３６】
＜競合イベントが発生した場合＞
つぎに、ＭＣ配信機能制限時間帯において、競合イベントが発生する場合の制限について説明する。
【００３７】
携帯電話機１は、ＭＣ配信機能制限時間帯において、競合イベントが発生する場合、その競合イベントの発生を中止又は破棄しなければ、イベントの競合により、図９に示すように、ＭＣ配信された情報を取得することが困難となる。
【００３８】
したがって、ＭＣ配信が行われるときに、競合イベントが発生していない、若しくは競合イベントを発生させなければ、携帯電話機１は、ＭＣ配信開始時刻になった場合、配信情報取得イベントの発生により、所定の情報を確実に受信することができる。なお、ユーザの選択により、競合イベントが配信情報取得イベントよりも優先される構成であっても良い。
【００３９】
本発明に係る携帯電話機１は、ＭＣ配信が開始される所定時間（例えば、Ｘ分）前にＭＣ配信を受けるためにイベントの発生制限を行う旨のポップアップをディスプレイに表示し、機能制限を開始する。
【００４０】
以下に、具体的な動作について、機能ブロック図（図１０）と、フローチャート（図１１及び図１２）を参照して説明する。なお、図１０中のＳ記号は、図１１及び図１２のフローチャートのステップ番号に対応している。
【００４１】
ステップＳ２１において、アプリケーションＢは、図１１に示すように、外部（基地局）又はユーザの操作に応じたイベントを受信する。なお、外部により受信するイベントは、電話の着信や、メールの受信等が該当し、ユーザの操作に応じたイベントは、電話の発信や、メールの送信等が該当する。
【００４２】
ステップＳ２２において、アプリケーションＢは、アプリケーションマネージャ３０１にイベントが発生したことを通知する。なお、アプリケーションマネージャ３０１の動作については、図１２を用いて後述する。
【００４３】
ステップＳ２３において、アプリケーションＢは、アプリケーションマネージャ３０１より判定結果を受信する。アプリケーションＢは、詳細は後述するアプリケーションマネージャ３０１の判定動作によって通知される判定結果を受信する。
【００４４】
ステップＳ２４において、アプリケーションＢは、イベントの判定結果を判定する。イベントの発生を許可する場合にはステップＳ２５に進み、イベントの発生を中止又は破棄の場合には、ステップＳ２６に進む。
【００４５】
ステップＳ２５において、アプリケーションＢは、イベントを発生させる。
【００４６】
ステップＳ２６において、アプリケーションＢは、イベントの発生を中止又は破棄する。この場合には、携帯電話機１は、競合イベントが発生していないので、ＭＣ配信を確実に受信することができる。
【００４７】
つぎに、アプリケーションマネージャ３０１の動作について図１２のフローチャートを参照して説明する。
【００４８】
ステップＳ３１において、アプリケーションマネージャ３０１は、ステップＳ２２の工程によりアプリケーションＢからイベントが発生したことを受信する。
【００４９】
ステップＳ３２において、アプリケーションマネージャ３０１は、データベース３０２からＭＣ配信機能制限設定を取得する。
【００５０】
ステップＳ３３において、アプリケーションマネージャ３０１は、ＭＣ配信機能制限設定がＯＮ設定中かＯＦＦ設定中かを判定する。ＯＮ設定中の場合には、ステップＳ３４に進み、ＯＦＦ設定中の場合には、ステップＳ４３に進む。
【００５１】
ステップＳ３４において、アプリケーションマネージャ３０１は、データベース３０２からＭＣ配信機能制限時間帯情報を取得する。
【００５２】
ステップＳ３５において、アプリケーションマネージャ３０１は、現在がＭＣ配信機能制限時間帯であるかどうかを判定する。ＭＣ配信機能制限時間帯であるの場合には、ステップＳ３６に進み、ＭＣ配信機能制限時間帯ではない場合には、ステップＳ４３に進む。
【００５３】
ステップＳ３６において、アプリケーションマネージャ３０１は、データベース３０２から中止又は破棄するイベントリスト情報を取得する。ここで、中止又は破棄するイベントリスト情報とは、配信情報取得イベントと競合するイベントを列挙した情報であり、予めデータベース３０２に格納されているものとする。
【００５４】
ステップＳ３７において、アプリケーションマネージャ３０１は、ステップＳ３１の工程によりアプリケーションＢから受信したイベントがイベントリスト情報に含まれているかどうかを判定する。イベントリスト情報に含まれている場合には、ステップＳ３８に進み、イベントリスト情報に含まれていない場合には、ステップＳ４３に進む。ここで、イベントリスト情報に含まれていないイベントは、配信情報取得イベントと競合しないイベントであるため、特に、制限を加える必要はない。
【００５５】
ステップＳ３８において、アプリケーションマネージャ３０１は、イベント種別の判定を行う。本工程においては、イベントリスト情報に含まれると判定されたイベントが、携帯電話機１の外部からのアクセスに応じて生じたものか、又はユーザの操作に応じて生じたものかを判定する。外部からのアクセスに応じて生じた場合には、ステップＳ４２に進み、ユーザの操作に応じて生じた場合には、ステップＳ３９に進む。
【００５６】
ステップＳ３９において、アプリケーションマネージャ３０１は、ユーザに対して、ＭＣ配信を受信する時間帯である旨を通知する。アプリケーションマネージャ３０１は、例えば、ディスプレイに「間もなくＭＣ受信時刻ですが処理を続けますか？」等の通知をポップアップ表示する。なお、ポップアップとは、所定のスクリプトを使って新しいウィンドウを自動的に開き、別の内容を表示させる機能のことである。ユーザは、操作部により、処理を続ける（すなわち、ＭＣ配信の受信を行わない）、又は処理を破棄・中止する（すなわち、ＭＣ配信の受信を行う）を選択する。
【００５７】
ステップＳ４０において、アプリケーションマネージャ３０１は、ユーザによる判断結果を受信する。
【００５８】
ステップＳ４１において、アプリケーションマネージャ３０１は、ユーザの判断結果を判定する。イベントの発生処理を続ける場合には、ステップＳ４３に進み、イベントの発生処理を中止又は破棄する場合には、ステップＳ４２に進む。
【００５９】
ステップＳ４２において、アプリケーションマネージャ３０１は、アプリケーションＢに対して「イベント発生処理の中止又は破棄」を通知する。アプリケーションＢは、上述したステップＳ２３、ステップＳ２４及びステップＳ２６の各工程を経て、イベントの発生動作を中止又は破棄する。すなわち、携帯電話機１では、配信情報取得イベントと競合する競合イベントが発生していないため、ＭＣ配信の受信を確実に行うことができる。
【００６０】
また、ステップＳ４３において、アプリケーションマネージャ３０１は、アプリケーションＢに対して「イベント発生処理の開始」を通知する。アプリケーションＢは、上述したステップＳ２３、ステップＳ２４及びステップＳ２５の各工程を経て、イベントを発生させる。すなわち、携帯電話機１では、競合イベントが発生しているため、ＭＣ配信の受信は行えない。
【００６１】
＜既に競合イベントが発生している場合＞
つぎに、ＭＣ配信機能制限時間帯に達する前に既に競合イベントが発生していた場合における携帯電話機１の制限動作について説明する。携帯電話機１は、アプリケーション群３００に含まれるアプリケーションＣ及びタイマ管理アプリケーションＤと、アプリケーションマネージャ３０１と、データベース３０２と、により動作を行う。
【００６２】
携帯電話機１は、図１３に示すように、ＭＣ配信機能制限時間帯にかからない時間帯において、任意のイベントを受信し、当該イベントの発生を開始する。
【００６３】
携帯電話機１は、現在の時刻がＭＣ配信機能制限時間帯に達した場合、ユーザに対して、ＭＣ配信を受信する時間帯である旨を通知する。例えば、ディスプレイに「間もなくＭＣ受信時刻ですが、イベント動作を継続しますか？」等の通知をポップアップ表示する。
【００６４】
携帯電話機１は、ユーザによる選択動作に応じて、イベント動作の継続又は中断を行う。なお、ユーザによる選択動作が一定時間行われなかった場合には、タイムアウトにより強制的にイベント動作を終了させる構成であっても良い。
【００６５】
また、携帯電話機１は、ＭＣ配信の開始時刻に達した場合、ＭＣ配信を受信できる状態、すなわち競合イベントが中断又は破棄されているときには、ＭＣ配信された情報を確実に受信できる。
【００６６】
以下に、具体的な動作について、機能ブロック図（図１４）と、フローチャート（図１５、図１６及び図１７）を参照して説明する。なお、図１４中のＳ記号は、図１５、図１６及び図１７のフローチャートのステップ番号に対応している。
【００６７】
ステップＳ５１において、タイマ管理アプリケーションＤは、図１５に示すように、データベース３０２からＭＣ配信機能制限開始時間情報を取得する。
【００６８】
ステップＳ５２において、タイマ管理アプリケーションＤは、取得したＭＣ配信機能制限開始時間情報に基づいて、現在時刻がＭＣ配信機能制限開始時間に達しているかどうかを判断する。達していない場合には、一定時間の経過ごとにステップＳ５１に戻り、達している場合には、ステップＳ５３に進む。
【００６９】
ステップＳ５３において、タイマ管理アプリケーションＤは、アプリケーションマネージャ３０１に対して、現在時刻がＭＣ配信機能制限開始時間に達したことを通知する。
【００７０】
つぎに、アプリケーションマネージャ３０１の動作について図１６を参照して説明する。
【００７１】
ステップＳ６１において、アプリケーションマネージャ３０１は、タイマ管理アプリケーションＤから通知された情報（現在時刻がＭＣ配信機能制限開始時刻に達した旨の情報）を受信する。
【００７２】
ステップＳ６２において、アプリケーションマネージャ３０１は、現在動作中のイベントがあるかどうかを判定する。動作中のイベントがある場合には、ステップＳ６４に進み、動作中のイベントがない場合には、ステップＳ６３に進む。
【００７３】
ステップＳ６３において、アプリケーションマネージャ３０１は、ユーザに対して、ＭＣ配信を受信する時間帯である旨を通知する。アプリケーションマネージャ３０１は、例えば、ディスプレイに「間もなくＭＣ受信時刻です。ＭＣ配信を確実に受信するためにイベントの機能制限を開始します。」等の通知をポップアップ表示する。
【００７４】
また、ステップＳ６４において、アプリケーションマネージャ３０１は、データベース３０２からイベントリスト情報を取得する。
【００７５】
ステップＳ６５において、アプリケーションマネージャ３０１は、ステップＳ６３の工程によりアプリケーションＢから受信したイベントがイベントリスト情報に含まれているかどうかを判定する。イベントリスト情報に含まれている場合（競合イベントの場合）には、ステップＳ６６に進み、イベントリスト情報に含まれていない場合（競合イベントではない場合）には、処理を終了する。ここで、イベントリスト情報に含まれていないイベント（非競合イベント）は、配信情報取得イベントと競合しないイベントであるため、特に、制限を加える必要はない。
【００７６】
ステップＳ６６において、アプリケーションマネージャ３０１は、ユーザに対して、ＭＣ配信を受信する時間帯である旨を通知する。アプリケーションマネージャ３０１は、例えば、ディスプレイに「間もなくＭＣ受信時刻ですが処理を続けますか？」等の通知をポップアップ表示する。ユーザは、操作部により、処理を続ける（すなわち、ＭＣ配信の受信を行わない）、又は処理を破棄・中止する（すなわち、ＭＣ配信の受信を行う）を選択する。
【００７７】
ステップＳ６７において、アプリケーションマネージャ３０１は、ユーザによる判断結果を受信する。
【００７８】
ステップＳ６８において、アプリケーションマネージャ３０１は、ユーザの判断結果を判定する。イベントを中断又は破棄する場合（ＮＯ）には、ステップＳ６９に進み、イベントを継続する場合（ＹＥＳ）には、処理を終了する。なお、図示しないが、イベントを継続する場合には、携帯電話機１は、配信情報取得イベントと競合するイベントが発生しているため、ＭＣ配信の受信はできない。
【００７９】
ステップＳ６９において、アプリケーションマネージャ３０１は、アプリケーションＣに対して「イベントの中止又は破棄」を通知する。
【００８０】
つぎに、アプリケーションＣの動作について図１７を参照して説明する。
【００８１】
ステップＳ７１において、アプリケーションＣは、アプリケーションマネージャ３０１より判定結果（イベントの中止又は廃棄）を受信する。
【００８２】
ステップＳ７２において、アプリケーションＣは、イベントを中止又は破棄する。この場合には、携帯電話機１は、競合イベントが発生していないので、ＭＣ配信を確実に受信することができる。
【００８３】
このようにして、本発明に係る携帯電話機１は、ＭＣ配信される時刻よりも所定時間前に配信情報取得イベントと競合するイベントの機能制限を行うため、イベントの競合によりＭＣ配信による情報を取りこぼすことなく、確実に取得することができる。
【００８４】
また、本発明に係る携帯電話機１は、ＭＣ配信時刻が近づいた場合、ユーザにその旨を通知するため、ユーザの操作によるイベントの発生を回避することができ、イベントの競合によりＭＣ配信による情報を取りこぼすことなく、確実に取得することができる。さらに、本発明に係る携帯電話機１は、ＭＣ配信開始時刻よりも所定時間前になった場合に、動作中のイベントを中止させることができ、イベントの競合によりＭＣ配信による情報を取りこぼすことなく、確実に取得することができる。
【図面の簡単な説明】
【００８５】
【図１】携帯電話機を開いた状態（第１開状態）における正面図を示す。
【図２】（Ａ）携帯電話機を開いた状態における左側面図を示し、（Ｂ）携帯電話機を開いた状態における右側面図を示す。
【図３】携帯電話機を開いた状態における背面図を示す。
【図４】本発明に係る携帯電話機の機能を示すブロック図である。
【図５】事前準備を行うに際しての携帯電話機の第１の機能を示すブロック図である。
【図６】事前準備を行うに際しての説明に供する第１のフローチャートである。
【図７】事前準備を行うに際しての携帯電話機の第２の機能を示すブロック図である。
【図８】事前準備を行うに際しての説明に供する第２のフローチャートである。
【図９】ＭＣ配信機能の制限時間帯に他のイベントが発生した場合におけるタイムチャートである。
【図１０】ＭＣ配信機能の制限時間帯に他のイベントが発生した場合の処理を行う携帯電話機の構成を示す機能ブロック図である。
【図１１】ＭＣ配信機能の制限時間帯に他のイベントが発生した場合の処理についての説明に供する第１のフローチャートである。
【図１２】ＭＣ配信機能の制限時間帯に他のイベントが発生した場合の処理についての説明に供する第２のフローチャートである。
【図１３】ＭＣ配信機能制限時間帯以前に競合イベントの起動が開始していた場合におけるタイムチャートである。
【図１４】ＭＣ配信機能制限時間帯以前に競合イベントの起動が開始していた場合の処理を行う携帯電話機の構成を示す機能ブロック図である。
【図１５】ＭＣ配信機能制限時間帯以前に競合イベントの起動が開始していた場合の処理についての説明に供する第１のフローチャートである。
【図１６】ＭＣ配信機能制限時間帯以前に競合イベントの起動が開始していた場合の処理についての説明に供する第２のフローチャートである。
【図１７】ＭＣ配信機能制限時間帯以前に競合イベントの起動が開始していた場合の処理についての説明に供する第３のフローチャートである。
【符号の説明】
【００８６】
１  携帯電話機
２  操作部側筐体
２ａ、３ａ  フロントケース
２ｂ、３ｂ  リアケース
３  表示部側筐体
４  連結部
３００  アプリケーション群
３０１  アプリケーションマネージャ
３０２  データベース
４００  基地局
４０１  サーバ
Ａ  アプリケーション
Ｄ  タイマ管理アプリケーション
【図１】
2008244764.tif 000003
【図２】
2008244764.tif 000004
【図３】
2008244764.tif 000005
【図４】
2008244764.tif 000006
【図５】
2008244764.tif 000007
【図６】
2008244764.tif 000008
【図７】
2008244764.tif 000009
【図８】
2008244764.tif 000010
【図９】
2008244764.tif 000011
【図１０】
2008244764.tif 000012
【図１１】
2008244764.tif 000013
【図１２】
2008244764.tif 000014
【図１３】
2008244764.tif 000015
【図１４】
2008244764.tif 000016
【図１５】
2008244764.tif 000017
【図１６】
2008244764.tif 000018
【図１７】
2008244764.tif 000019